(57)【要約】【課題】軸受の組込み時における作業性を向上させるための軸受取扱い治具を提供する。【解決手段】軌道輪４の軌道面４ｓ上に並べられた複数の転動体６を所定位置に拘束する拘束具１６と、拘束具を各転動体に向けて押圧することにより、複数の転動体を拘束具と軌道輪の軌道面との間で挟持させる挟持機構(フック部１８、支持軸２０、調整体２２、圧接ユニット(ねじ部２４、ナット２６))とを備えている。このような構成において、拘束具には、少なくとも各転動体の一部をガイドするガイド部(外周ガイドＧａ、転動面ガイドＧｂ)が設けられている。また、軌道輪の軌道面は平坦状を成しており、拘束具は平坦状の軌道面上に並べられた複数の転動体を所定位置に拘束する。【選択図】    図１
2006214521.tif 000002
【特許請求の範囲】
【請求項１】
軌道輪の軌道面上に並べられた複数の転動体を所定位置に拘束する拘束具と、
拘束具を各転動体に向けて押圧することにより、複数の転動体を拘束具と軌道輪の軌道面との間で挟持させる挟持機構とを備えていることを特徴とする軸受取扱い治具。
【請求項２】
拘束具には、少なくとも各転動体の一部をガイドするガイド部が設けられていることを特徴とする請求項１に記載の軸受取扱い治具。
【請求項３】
軌道輪の軌道面は平坦状を成しており、拘束具は平坦状の軌道面上に並べられた複数の転動体を所定位置に拘束することを特徴とする請求項１又は２に記載の軸受取扱い治具。
【請求項４】
挟持機構は、軌道輪に引っ掛けることが可能なフック部と、フック部から延出した支持軸と、支持軸に沿って移動調整自在な調整体と、調整体を拘束具に向けて圧接させることが可能な圧接ユニットとを備えて構成されていることを特徴とする請求項１〜３のいずれかに記載の軸受取扱い治具。
【請求項５】
圧接ユニットは、支持軸に形成されたねじ部と、ねじ部に螺合したナットとを備えて構成され、ナットをねじ部に沿って螺進させることにより、当該ナットで調整体を拘束具に接触させることを特徴とする請求項４に記載の軸受取扱い治具。
【発明の詳細な説明】
【技術分野】
【０００１】
本発明は、例えば鉄鋼設備や圧延機などの各種回転機構に転がり軸受(例えば、スラスト円すいころ軸受)を組込む際に用いる軸受取扱い治具に関し、特に軸受の組込み時における作業性を向上させることが可能な軸受取扱い治具に関する。
【背景技術】
【０００２】
従来から、例えば図１(ｂ)に示すように、一対の軌道輪(例えば、回転輪２及び固定輪４)の間に複数の円すいころ６が配列されたスラスト円すいころ軸受が知られている(例えば、特許文献１)。このような軸受を例えばハウジング８に組込む場合、従来では固定輪４の軌道面４ｓ上に全ての円すいころ６を並べた状態で、当該固定輪４を吊り上げる方法が採用されている。かかる方法には、例えば図１(ｃ)に示すように、固定輪４のねじ孔４ａに引っ掛けることが可能なフック部１０と、フック部１０から延出した支持軸１２とを備えた軸受取扱い治具１４が適用されている。
【０００３】
ところで、固定輪４の軌道面４ｓは平坦状であるため、当該軌道面４ｓ上に並べられた各円すいころ６は自由に転動可能な状態にある。しかしながら、従来の軸受取扱い治具１４には、各円すいころ６の動きを拘束する構成が設けられていない。このため、例えば軸受取扱い治具１４の動作中に固定輪４が傾斜或いは振動すると、円すいころ６が軌道面４ｓからずれたり回転したり、或いは固定輪４から落下する場合があり、軸受の組込み時における作業性が低下してしまう。
【特許文献１】実公平３−０３２８２８号公報
【発明の開示】
【発明が解決しようとする課題】
【０００４】
本発明は、このような問題を解決するためになされており、その目的は、軸受の組込み時における作業性を向上させるための軸受取扱い治具を提供することにある。
【課題を解決するための手段】
【０００５】
このような目的を達成するために、本発明の軸受取扱い治具は、軌道輪の軌道面上に並べられた複数の転動体を所定位置に拘束する拘束具と、拘束具を各転動体に向けて押圧することにより、複数の転動体を拘束具と軌道輪の軌道面との間で挟持させる挟持機構とを備えている。このような構成において、拘束具には、少なくとも各転動体の一部をガイドするガイド部が設けられている。この場合、軌道輪の軌道面は平坦状を成しており、拘束具は平坦状の軌道面上に並べられた複数の転動体を所定位置に拘束する。
【０００６】
本発明において、挟持機構は、軌道輪に引っ掛けることが可能なフック部と、フック部から延出した支持軸と、支持軸に沿って移動調整自在な調整体と、調整体を拘束具に向けて圧接させることが可能な圧接ユニットとを備えて構成されている。圧接ユニットは、支持軸に形成されたねじ部と、ねじ部に螺合したナットとを備えて構成され、ナットをねじ部に沿って螺進させることにより、当該ナットで調整体を拘束具に接触させる。
【発明の効果】
【０００７】
本発明によれば、軸受の組込み時における作業性を向上させるための軸受取扱い治具を実現することができる。
【発明を実施するための最良の形態】
【０００８】
以下、本発明の一実施の形態に係る軸受取扱い治具について、図１(ａ)を参照して説明する。
図１(ａ)に示すように、本実施の形態の軸受取扱い治具１４は、軌道輪４の軌道面４ｓ上に並べられた複数の転動体６を所定位置に拘束する拘束具１６と、拘束具１６を各転動体６に向けて押圧することにより、複数の転動体６を拘束具１６と軌道輪４の軌道面４ｓとの間で挟持させる挟持機構とを備えている。
【０００９】
軌道輪４としては、例えば固定部分に接続させる固定輪や、回転部分(図示しない)に接続させる回転輪を想定することができる。また、転動体６としては、ころや玉を想定することができる。この場合、軸受としては、スラスト軸受を想定し、保持器の無いタイプと保持器の有るタイプが含まれる。なお、本実施の形態では、一例として、固定輪４の軌道面４ｓ上に複数の円すいころ６が並べられたスラスト円すいころ軸受を想定する。
【００１０】
このような軌道輪(固定輪)４の軌道面４ｓは平坦状を成しており、拘束具１６は平坦状の軌道面４ｓに並べられた複数の転動体(円すいころ)６を所定位置に拘束する。
拘束具１６は、軌道面４ｓ上に並べられた各転動体６をそのままの状態で同時に拘束するように構成されている。本実施の形態では環状の軌道面４ｓを想定しており、拘束具１６は、環状の軌道面４ｓに沿って並べられた複数の転動体６の位置関係をそのまま維持した状態で各転動体６を同時に拘束する。この場合、拘束具１６としては、環状に並べられた複数の転動体６を同時に拘束できるような形状を成していれば、例えば環状、矩形状或いは円形状など種々の形状の拘束具１６を適用することができる。このため、拘束具１６の形状は特に限定しない。
【００１１】
また、拘束具１６には、少なくとも各転動体６の一部をガイドするガイド部が設けられている。この場合、ガイド部の構成としては、各転動体６の外側部分Ｐout又は内側部分Ｐinのみをガイドする構成や、各転動体６の外側部分Ｐout及び内側部分Ｐinの双方をガイドする構成を適用することができる。例えば転動体６の外側部分(円すいころの頭部)Ｐoutのみをガイドする構成(図１(ｂ))では、その外側部分Ｐoutをガイド部でガイドすることにより、転動体６を拘束することができる。
【００１２】
この場合、ガイド部は、転動体６の外側部分Ｐoutの外周６ａをガイドする外周ガイドＧａと、当該外側部分Ｐoutの転動面６ｂをガイドする転動面ガイドＧｂとを備えて構成されている。このようなガイド部(外周ガイドＧａ、転動面ガイドＧｂ)で転動体６の外側部分(円すいころの頭部)Ｐoutをガイドすることにより、軌道輪４の軌道面４ｓ上に並べられた複数の転動体６をその位置関係を維持しつつ拘束することができる。
【００１３】
なお、各転動体６の内側部分Ｐinをガイドする場合には、転動体６が軌道輪４(軌道面４ｓ)から外側にずれたり脱落したりするのを防止するために、各転動体６の外側部分Ｐoutを保持する構成を設けることが好ましい。例えば軌道輪４の軌道面４ｓに沿って保持体(図示しない)を突設させても良い。
【００１４】
また、挟持機構は、軌道輪４に引っ掛けることが可能なフック部１８と、フック部１８から延出した支持軸２０と、支持軸２０に沿って移動調整自在な調整体２２と、調整体２２を拘束具１６に向けて圧接させることが可能な圧接ユニット(ねじ部２４、ナット２６)とを備えて構成されている。
【００１５】
本実施の形態において、フック部１８は、例えば軌道輪(固定輪)４のねじ孔４ａに引っ掛けることができるように構成されている。なお、ねじ孔４ａは、軌道輪(固定輪)４を固定部分(例えば、ハウジング(図１(ｂ)))に接続する際に接続ねじ(図示しない)を螺合するための孔である。
【００１６】
調整体２２は、拘束具１６に接触可能な形状を成しており、その一部に挿通孔２２ａが形成されている。この場合、挿通孔２２ａに支持軸２０を挿通させることにより、当該調整体２２は支持軸２０に沿って移動調整可能となる。また、挿通孔２２ａを形成する代わりに例えば調整体２２にガイドリング(図示しない)を増設し、このガイドリングに支持軸２０を挿通させても良い。なお、拘束具１６が例えば環状、矩形状或いは円形状など種々の形状で構成されていれば、それに合わせた形状で調整体２２が設定されるため、ここでは特に調整体２２の形状について限定はしない。
【００１７】
圧接ユニットは、支持軸２０に形成されたねじ部２４と、ねじ部２４に螺合したナット２６とを備えて構成され、ナット２６をねじ部２４に沿って螺進させることにより、当該ナット２６で調整体２２を拘束具１６に接触させることができる。この場合、ナット２６の螺進量を増減変更することにより、拘束具１６に対する調整体２２の接触圧を増減変更させることができる。
【００１８】
ここで、本実施の形態の軸受取扱い治具の取扱い一例を説明する。
まず、軌道輪４の軌道面４ｓ上に複数の転動体６を並べた後、拘束具１６を各転動体６上にセットする。この状態において、各転動体６は、拘束具１６のガイド部(外周ガイドＧａ、転動面ガイドＧｂ)により、その位置関係を維持しつつ拘束される。続いて、挟持機構のフック部１８を軌道輪４のねじ孔４ａに引っ掛けた状態で、調整体２２を支持軸２０に沿って移動させて拘束具１６に接触させる。
【００１９】
そして、圧接ユニットのナット２６をねじ部２４に沿って螺進させて当該ナット２６で調整体２２を拘束具１６に接触させ、更にナット２６を螺進させることにより、拘束具１６に対する調整体２２の接触圧を増加させる。即ち、拘束具１６を各転動体６に向けて押圧する押圧力を増加させる。
【００２０】
このように、ナット２６を螺進すると、その螺進量に応じて支持軸２０には、当該支持軸２０を牽引する牽引力となってフック部１８に作用する。フック部１８は、軌道輪４のねじ孔４ａに引っ掛けられているため、当該フック部１８に作用した牽引力は、軌道輪４を各転動体６と共に拘束具１６に向けて牽引する牽引力となって働く。
【００２１】
この結果、複数の転動体６は、拘束具１６と軌道輪４の軌道面４ｓとの間で拘束且つ挟持された状態となる。この場合、支持軸２０は、図示しない昇降機構に接続されており、昇降機構で支持軸２０を昇降させることにより、軌道輪４の軌道面４ｓ上の複数の転動体６を所定位置に並べた状態のまま支持軸２０と共に昇降させることができる。このとき、例えば軸受取扱い治具１４の動作中に固定輪４が傾斜或いは振動しても、各転動体６が軌道面４ｓからずれたり回転したり、或いは軌道輪４から落下することは無いため、軸受の組込み時における作業性を向上させることができる。
【図面の簡単な説明】
【００２２】
【図１】(ａ)は、本発明の一実施の形態に係る軸受取扱い治具の構成を概略的に示す断面図、(ｂ)は、スラスト円すいころ軸受の一部を拡大して示す断面図、(ｃ)は、従来の軸受取扱い治具の構成を概略的に示す断面図。
【符号の説明】
【００２３】
４  軌道輪
４ｓ  軌道面
６  転動体
１６  拘束具
１８  フック部
２０  支持軸
２２  調整体
２４  ねじ部
２６  ナット
【図１】
2006214521.tif 000003